【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
ａ）単一ポリイソシアネート成分、
ｂ）少なくとも１つのポリマーポリオール成分、
ｃ）少なくとも１つの親水化成分、および
ｄ）単一アミノ官能性鎖延長成分、
を反応させることにより得られるポリウレタンウレアであって、
ここで、該ポリイソシアネート成分ａ）は、７５モル％を超えるイソホロンジイソシアネートを含み、および該アミノ官能性鎖延長剤成分ｄ）は、７５モル％を超えるイソホロンジアミンを含む、ポリウレタンウレア。
【請求項２】
ポリイソシアネート成分ａ）は、イソホロンジイソシアネートを≧８０モル％、好ましくは≧８５モル％、更に好ましくは９５モル％、特に好ましくは１００モル％含んでなることを特徴とする、請求項１に記載のポリウレタンウレア。
【請求項３】
ポリマーポリオール成分ｂ）は、≧４００および≦８０００ｇ／モルの数平均分子量および／または１．５〜６のＯＨ官能価を有することを特徴とする、請求項１または２に記載のポリウレタンウレア。
【請求項４】
ポリマーポリオール成分ｂ）は、ポリエステル、好ましくはアジピン酸に基づくポリエステルを含んでなるか、またはポリエステル、好ましくはアジピン酸に基づくポリエステルから構成されることを特徴とする、請求項１〜３のいずれか１つに記載のポリウレタンウレア。
【請求項５】
親水化成分ｃ）は、アニオン的親水性化成分、好ましくはスルホネートであることを特徴とする、請求項１〜４のいずれか１つに記載のポリウレタンウレア。
【請求項６】
アミノ官能性鎖延長剤成分ｄ）は、イソホロンジアミンを≧８５モル％、好ましくは≧９５モル％、特に好ましくは１００モル％含んでなることを特徴とする、請求項５に記載のポリウレタンウレア。
【請求項７】
化粧品における、好ましくは毛髪化粧品の分野における、特に好ましくはヘアスタイリングの分野における、請求項１〜６のいずれか１つに記載のポリウレタンウレアの使用。
【請求項８】
溶媒混合物および請求項１〜７のいずれか１つに記載のポリウレタンウレアを含んでなる化粧品組成物であって、該溶媒混合物は、エタノールおよび水を含んでなる、化粧品組成物。
【請求項９】
溶媒混合物は、エタノールを≧１０重量％および≦９８重量％、好ましくは≧２０重量％および≦９８重量％、更に好ましくは≧２０重量％および≦９０重量％、特に好ましくは≧２０重量％および≦８０重量％含んでなることを特徴とする、請求項８に記載の組成物。
【請求項１０】
溶媒混合物は、水とエタノールからなることを特徴とする、請求項８または９に記載の組成物。
【請求項１１】
≧０．１重量％および≦３０重量％、好ましくは≧０．１重量％および≦２０重量％、更に好ましくは≧０．５重量％および≦１５重量％、特に好ましくは≧０．５重量％および≦１０重量％のポリウレタンウレアを含んでなることを特徴とする、請求項８〜１０のいずれか１つに記載の組成物。
【請求項１２】
≧１０重量％および≦９８重量％、好ましくは≧２０重量％および≦９８重量％、更に好ましくは≧３０重量％および≦９８重量％、特に好ましくは≧４０重量％および≦９８重量％の溶媒混合物を含んでなることを特徴とする、請求項８〜１１のいずれか１つに記載の組成物。
【請求項１３】
化粧品における、好ましくは毛髪化粧品の分野における、特に好ましくはヘアスタイリングの分野における、請求項８〜１２のいずれか１つに記載の化粧品組成物の使用。
【請求項１４】
請求項８〜１３のいずれか１つに記載の化粧品組成物を毛髪へ適用する、ヘアスタイルを形成する方法。
【手続補正２】
【補正対象書類名】明細書
【補正対象項目名】０００３
【補正方法】変更
【補正の内容】
【０００３】
ヘアスプレーおよびムースセット用組成物の場合、ヘアスタイルを固定または創作するための組成物は、通常、エアロゾル容器、スクイーズボトルから、またはポンプ、スプレーまたは発泡用器具により噴霧し得る調製物の形態であり、この調製物は、皮膜形成性天然または合成ポリマーのアルコール溶液またはアルコール水溶液からなる。これらのポリマーは、非イオン性、カチオン性、両性またはアニオン性ポリマーの群から選択することができる。
【手続補正３】
【補正対象書類名】明細書
【補正対象項目名】０００４
【補正方法】変更
【補正の内容】
【０００４】
先行技術に使用される皮膜形成性ポリマーは、アクリレートに基づくアニオン性または両性ポリマーである場合が多い。しかしながら、皮膜形成剤としてのポリウレタンおよびポリウレタンウレアの使用も知られている。従って、例えば、ヘアセット用組成物は、水不溶性非水分散性イソシアネート官能性ポリウレタンプレポリマーをアミノ官能性化合物と反応させることにより得られるポリウレタンウレアを得るＷＯ２００９／１１８１０５Ａ１に記載されている。これに開示されたヘアセット用組成物は、ヘアスタイルを安定化するために非常に適している。しかしながら、透明な混合物は、既知の水系ポリウレタンウレアから製造することができない。この理由のために、毛髪用化粧品の分野に従来使用される溶媒、例えば水とエタノール等を含んでなる系は曇っている。これは、多くの応用にとって不利であると考えられる。
【手続補正４】
【補正対象書類名】明細書
【補正対象項目名】０００９
【補正方法】変更
【補正の内容】
【０００９】
本発明によれば、アミノ官能性鎖延長剤成分は、２つのイソシアネート反応性アミノ基を有し、および親水化基を有さない少なくとも１つの化合物を含んでなる成分を意味すると理解される。
【手続補正５】
【補正対象書類名】明細書
【補正対象項目名】００３８
【補正方法】変更
【補正の内容】
【００３８】
適当な成分は、ＩＰＤＡに加えて２５モル％未満のモル分率において用いることができ、ジ−またはポリアミン、例えば１，２−エチレンジアミン、１，２−および１，３−ジアミノプロパン、１，４−ジアミノブタン、１，６−ジアミノヘキサン、２，２，４−および２，４，４−トリメチルヘキサメチレンジアミン、２−メチルペンタメチレンジアミン、ジエチレントリアミン、トリアミノノナン、１，３−および１，４−キシリレンジアミン、α，α，α’，α’−テトラメチル−１，３−および−１，４−キシリレンジアミンおよび４，４−ジアミノジシクロヘキシルメタンおよび／またはジメチルエチレンジアミンである。ヒドラジンならびにヒドラジド、例えばアジピン酸ジヒドラジド等も可能である。
【手続補正６】
【補正対象書類名】明細書
【補正対象項目名】００６２
【補正方法】変更
【補正の内容】
【００６２】
・マレイン酸、無水マレイン酸、フマル酸、フマル酸無水物、イタコン酸またはイタコン酸無水物と、ビニルエステル、ビニルエーテル、ビニルハロゲン誘導体、フェニルビニル誘導体、アクリル酸およびアクリル酸エステルの群から選択される少なくとも１つのモノマーとのコポリマー、あるいはマレイン酸、無水マレイン酸、フマル酸、フマル酸無水物、イタコン酸またはイタコン酸無水物と、アリルエステル、メタリルエステルおよび必要に応じてアクリルアミド、メタクリルアミド、α−オレフィン、アクリル酸エステル、メタクリル酸エステルおよびビニルピロリドンの群から選択される少なくとも１つのモノマーとのコポリマーから選択される不飽和Ｃ４〜Ｃ８カルボン酸誘導体コポリマーまたはカルボン酸無水物コポリマー。他の好ましいポリマーは、ビニルエーテル／無水マレイン酸コポリマーの加水分解により形成されるメチルビニルエーテル／マレイン酸コポリマーである。これらのポリマーはまた、部分エステル化（エチル、イソプロピルまたはブチルエステル）または部分アミド化してもよい。
【手続補正７】
【補正対象書類名】明細書
【補正対象項目名】００６５
【補正方法】変更
【補正の内容】
【００６５】
特に有利なアニオン性ポリマーは、アクリル酸コポリマー、クロトン酸誘導体コポリマー、マレイン酸、無水マレイン酸、フマル酸、フマル酸無水物、イタコン酸またはイタコン酸無水物とビニルエステル、ビニルエーテル、ビニルハロゲン誘導体、フェニルビニル誘導体、アクリル酸およびアクリル酸エステルから選択される少なくとも１つのモノマーとのコポリマー、およびポリスチレンスルホン酸の塩である。